(57)【要約】【課題】本発明の課題は、人毛又は人工毛が植毛されるかつらベースにおいて、かつらベースが目立たず、植毛された人毛又は人工毛がずれない構成とするかつらベース及びかつらを提供することである。【解決手段】本発明によれば、人毛又は人工毛が植毛されるかつらベースにおいて、かつらベースは、三本以上の糸を互いに編み込んでなる編み込み糸で少なくとも一部が形成されている構成とした。【選択図】図１
2008095249.tif 000002
【特許請求の範囲】
【請求項１】
人毛又は人工毛が植毛されるかつらベースにおいて、
平面形状に形成された一部又は全部が、３本以上の糸を互いに編み込んでなる編み込み糸により、構成されていることを特徴とするかつらベース。
【請求項２】
前記編み込み糸は、三つ編みされてなることを特徴とする請求項１記載のかつらベース。
【請求項３】
前記人毛又は前記人工毛が前記編み込み糸に植毛されていることを特徴とする請求項１又は請求項２記載のかつらベース。
【請求項４】
前記平面形状は、平面視において、略台形状又は矩形状であることを特徴とする請求項１に記載のかつらベース。
【請求項５】
前記略台形状の対向する平行な一端側の幅と他端側の幅とが異なる長さに形成され、
前記編み込み糸は、前記一端側と前記他端側との間を連続して交互に往復周回させて架け渡されていることを特徴とする請求項４に記載のかつらベース。
【請求項６】
前記矩形状の対向する一端側の幅と他端側の幅とが同一の長さに形成され、
前記編み込み糸は、前記一端側と前記他端側との間を連続して交互に往復周回させて架け渡されていることを特徴とする請求項４に記載のかつらベース。
【請求項７】
請求項１から請求項６のいずれか一つに記載のかつらベースを備えることを特徴とするかつら。
【発明の詳細な説明】
【技術分野】
【０００１】
本発明は、かつらベースを編み込み糸で構成したかつらベース及びかつらに関する。
【背景技術】
【０００２】
一般に、かつらは、装飾のため、又は薄くなった頭髪を外見上増量して実際の頭髪であるように見せるものであり、自毛とかつらベースに植毛された人毛又は人工毛とが自然に一体化されることが使用者に望まれる。
【０００３】
そこで、例えば、特許文献１では、ネットを二つ折りにした筒状ネットに芯材を設けて形成された帯状部を網目状に縫い付けてなるかつらベースである。このかつらベースのネット部分に人毛又は人工毛が植毛されて、自毛と人毛又は人工毛との分離を制御して自毛の引き出しを行うかつらベースが開示されている。
【特許文献１】実開平１０−１３２号公報
【発明の開示】
【発明が解決しようとする課題】
【０００４】
しかし、特許文献１に記載のかつらベースは、網目が大きいため自毛を引き出すのは容易であると考えられるが、網目を形成している帯状部は、目立ってしまうおそれがある。
【０００５】
また、使用者の自毛が少ない場合は、自毛と人毛又は人工毛とが自然な状態で混毛できないことが考えられ、更には、かつらベースに植毛された人毛又は人工毛を、櫛で梳かすと植毛位置からずれることも考えられる。
【０００６】
そこで、本発明の課題は、頭部に装着しても目立たず、植毛された人毛又は人工毛がずれない構成とするかつらベース及びかつらを提供することである。
【課題を解決するための手段】
【０００７】
本発明のかつらベース及びかつらは、人毛又は人工毛が植毛されるかつらベースにおいて、平面形状に形成された一部又は全部が、３本以上の糸を互いに編み込んでなる編み込み糸により、構成されている。
【０００８】
また、好ましくは、上記編み込み糸は、三つ編みされてなる構成とした。
【０００９】
また、好ましくは、上記人毛又は上記人工毛が上記編み込み糸に植毛されている構成とした。
【００１０】
また、好ましくは、上記平面形状は、平面視において、略台形状又は矩形状である構成とした。
【００１１】
また、好ましくは、上記略台形状の対向する平行な一端側の幅と他端側の幅とが異なる長さに形成され、上記編み込み糸は、上記一端側と上記他端側との間を連続して交互に往復周回させて架け渡されている構成とした。
【００１２】
また、好ましくは、上記矩形状の対向する一端側の幅と他端側の幅とが同一の長さに形成され、上記編み込み糸は、上記一端側と上記他端側との間を連続して交互に往復周回させて架け渡されている構成とした。
【００１３】
また、好ましくは、本発明は、上記に記載のかつらベースを備えたかつらであることとする。
【発明の効果】
【００１４】
本発明のかつらベース及びかつらによれば、かつらベースを形成する編み込み糸に人毛又は人工毛を植毛させることで、かつらベースが目立たず、自毛と人毛又は人工毛とがなじみやすい。更には、かつらベースが編み込み糸のみで形成されているため、軽くて、かつ、装着感が自然であることを可能にした。
【００１５】
また、かつらベースが複数の糸で編み込まれて形成されており、三本以上の糸で編み込まれた編み込み糸に人毛又は人工毛を植毛させ、櫛で梳かしてもずれなくすることを可能にした。
【発明を実施するための最良の形態】
【００１６】
（実施例１）
以下、本発明の第一の実施の形態に係わるかつらベース及びかつらについて、図を用いて説明を行う。
【００１７】
図１は、本実施の形態のかつらベース１０の全体を示す平面図である。図１において、かつらベース１０は、平面形状に形成された一部又は全部が、三本以上の糸を互いに編み込んでなる編み込み糸である外縁部１１と、内縁部１２と、縁部糸部材１３と、内部糸部材１４及び支持糸１５から構成されている。尚、この平面形状は、台形状又は矩形状の他、ひし型、楕円形状、円形状、又は、これらの組み合わせとしても適用することが可能である。また、図１においては、人毛又は人工毛を植毛していない状態を示している。
【００１８】
また、外縁部１１は、一本の編み込み糸（三本以上の糸からなる）でかつらベース１０の外周を取り巻くように形成され、内縁部１２は、かつらベース１０の内周を取り巻くように外縁部１１と同様に一本の編み込み糸で形成されている。
【００１９】
図１において、本実施の形態では、かつらベース１０は、略台形状に形成されている。
【００２０】
また、縁部糸部材１３は、編み込み糸を連続して外縁部１１と内縁部１２との間を交互に周回させ、三角形状が形成されている。尚、ここでの形状は、三角形状に限定されず、三角以上の多角形状でも良い。
【００２１】
また、内部糸部材１４は、編み込み糸を連続して一端側と他端側との間を直線的に交互に往復周回させて形成している。
【００２２】
また、支持糸１５は、かつらベース１０の中央の位置に設けられ、内部糸部材１４のたるみを補う。尚、設けられる位置については中央に限定されず、使用用途に応じて適した位置に設けることが可能である。また、本数についても同様に使用用途に適した本数を設けることが可能である。
【００２３】
また、かつらベース１０は、各部材の少なくとも一部が三本以上の糸を互いに編み込んでなる編み込み糸で形成されている。好ましくは、各部材の全ての部分が編み込み糸で形成されているとよい。
【００２４】
次に、図２は、図１における編み込んだ状態の縁部糸部材１３を示した図である。この縁部糸部材１３は、一本の編み込み糸で外縁部と内縁部との間で連続した三角形状に形成されている。このように形成することで、外縁部と内縁部が強く結ばれるので、かつらベ
ース１０をより強固に形成することが可能である。
【００２５】
次に、図３は、図１おける内部糸部材１４を示した図である。内部糸部材１４は、縁部糸部材１３と同様に一本の編み込み糸で形成されている。このように形成することで、かつらベース１０をより強固に形成することが可能である。
【００２６】
次に、図４は、図１におけIV部の拡大図である。図４において、かつらベース１０は、外縁部１１と、内縁部１２と、縁部糸部材１３と、内部糸部材１４との接点を接着させる接着部１６が設けられている。接着部１６に用いられる接着手段は、例えば、接着剤を使用して溶着により接着される。尚、接着方法は、熱による溶着も可能である。
【００２７】
次に、図５は、かつらベース１０を構成する編み込み糸１７の詳細を示した図である。図５において、本実施の形態では、編み込み糸１７は、三本の糸１７ａ、１７ｂ、１７ｃを三つ編みで編み込んで形成されている。
【００２８】
また、図５において、編み込み糸１７を形成する繊維素材は、ナイロン等の合成繊維であり、一本の糸の太さは、０．８ｍｍとし、三本で１．６ｍｍとし、また、色は半透明の黒系を用いる。
【００２９】
尚、糸の太さは上記数値に限定されず、一本の糸の太さは０．０５ｍｍから０．１０ｍｍの範囲で適用するとよく、その場合、三本の糸を編み込むと０．１０ｍｍから０．２０ｍｍとなる。また、糸の色については、上記の記載に限定されないが、好ましくは、自毛と同系色とすると良い。更に、外縁部においては、編み込み糸１７を用いて三つ編みにすると良い。この三つ編みの太さは、０．２５ｍｍから０．４０ｍｍで、好ましくは、０．３４ｍｍとすると良い。
【００３０】
次に、図６は、図５における、編み込み糸１７に人毛又は人工毛１８を植毛させた状態を示した図である。図６において、編み込み糸１７の編み目１９に人毛又は人工毛１８を通し、編み込み糸１７の一本の糸１７ａ、１７ｂ、１７ｃに人毛又は人工毛１８を縫いこむように植毛させる。
【００３１】
次に、図７は、図６における編み込み糸１７に人毛又は人工毛１８を植毛させた図である。図７において、編み込み糸１７の編み目１９に人毛又は人工毛１８を通し、縫いこむような状態で、折り返して引き戻し植毛させる。更に、好ましくは、植毛させる間隔は、１／１６インチ間隔で植毛させると良い。
【００３２】
次に、図８は、図１におけるかつらベース１０に人毛又は人工毛を植毛させたかつら４７を示す図である。かつら４７は、外縁部１１、内縁部１２、縁部糸部材１３、内部糸部材１４、支持糸１５に人毛又は人工毛を植毛させて形成している。使用時には、各部材の隙間より自毛を引き出して頭部に装着させる。
【００３３】
次に、図９は、本実施の形態の第一変形例を示した図である。図９において、かつらベース１０は、外縁部１１、内縁部１２、縁部糸部材１３、内部糸部材１４、支持糸１５は図１の構成と同様であるが、横幅の寸法及び一端部と他端部の寸法の比率、縦幅方向の寸法を縮小して形成されている。つまり、かつらベース１０は、寸法に限定されず、使用者の頭部の自毛の濃さ薄さや装着箇所に適した寸法のかつらベース１０を用いることが可能である。
【００３４】
次に、図１０は、本実施の形態の第二変形例を示した図である。図１０において、かつらベース１０は、外縁部１１、内縁部１２、縁部糸部材１３、内部糸部材１４、支持糸１
５は図１の構成と同様であるが、横幅の寸法が一端部と他端部で同一寸法であり略四角形で形成されている。つまり、本実施の形態のかつらベース１０は、一端部と他端部が頭部に着用する際の前後に限定されず、使用者の頭部の自毛の濃さ薄さや装着箇所に応じて装着することが可能である。
【００３５】
次に、図１１は、本実施の形態の第三変形例を示した図である。図１１において、かつらベース１０は、外縁部１１、内縁部１２、縁部糸部材１３、内部糸部材１４は図１の構成と同様であるが、支持糸１５を備えない構成とすることで、内部糸部材１４の隙間が広がり自毛をより引き出しやすいようにした。
【００３６】
次に、本実施の形態に係わる、作用及び効果の説明を行う。内部糸部材１４の間から頭部の自毛を引き出してかつらベース１０に植毛された人毛又は人工毛と混毛させることで、かつらベース１０が目立たず、自毛と人毛又は人工毛がなじみやすい。また、更には、かつらベースが編み込み糸１７のみで形成されているため、軽くて、かつ、装着感が自然であることを可能にした。
【００３７】
また、本実施の形態によれば、編み込み糸１７の編み目１９に人毛又は人工毛１８を通し、編み込み糸１７の一本の糸に人毛又は人工毛１８を縫いこむような状態で植毛させることで、櫛で梳かした時にも植毛させた位置から人毛又は人工毛がずれないように植毛させることを可能にした。
【００３８】
（実施例２）
次に、本発明の第二の実施の形態に係わるかつらベース及びかつらについて、図を用いて説明を行う。
【００３９】
図１２は、第二の実施の形態に係わるかつらベース２０の平面図である。図１２において、かつらベース２０は、一端側外縁部２１と、一端側内縁部２２と、縁部糸部材２３と、他端側外縁部２４と、他端側内縁部２５と、内部糸部材２６と、支持糸２７とで構成されている。
【００４０】
また、かつらベース２０は、一端側外縁部２１と一端側内縁部２２の間を縁部糸部材２３が交互に周回して形成されている。他端側も同様に形成されている。内部糸部材２６は、一端側内縁部２２と他端側内縁部２５の間を交互に周回させて形成されている。
【００４１】
支持糸２７は、かつらベース２０の中央の位置に設けられ、内部糸部材２６のたるみを補う。尚、設けられる位置については中央に限定されず、使用用途に応じて適した位置に設けることが可能である。また、本数についても同様に使用用途に適した本数を設けることが可能である。
【００４２】
また、かつらベース２０は、各部２１〜２７の少なくとも一部が三本以上の糸を互いに編み込んでなる編み込み糸で形成されている。好ましくは、各部材の全ての部分が編み込み糸で形成されているとよい。
【００４３】
本実施の形態では、第一の実施の形態と同様に、編み込み糸は、三本の糸を三つ編みで編み込んで形成されている。編み込み糸を形成する繊維素材は、ナイロン等の合成繊維であり、一本の糸の太さは、０．８ｍｍとし、三本で１．６ｍｍとし、また、色は半透明の黒系を用いる。
【００４４】
尚、糸の太さは上記数値に限定されず、一本の糸の太さは０．０５ｍｍから０．１０ｍｍの範囲で適用するとよく、その場合、三本の糸を編み込むと０．１０ｍｍから０．２０
ｍｍとなる。また、糸の色については、上記の記載に限定されないが、好ましくは、自毛と同系色とすると良い。更に、外縁部においては、編み込み糸１７を用いて三つ編みにすると良い。この三つ編みの太さは、０．２５ｍｍから０．４０ｍｍで、好ましくは、０．３４ｍｍとすると良い。
【００４５】
次に、図１３は、本実施の形態の第一変形例を示した図である。図１３において、かつらベース２０は、一端側外縁部２１と、一端側内縁部２２と、縁部糸部材２３と、他端側外縁部２４と、他端側内縁部２５と、内部糸部材２６と、支持糸２７は図１２の構成と同様であるが、横幅の寸法及び一端部と他端部の寸法の比率、縦幅方向の寸法を縮小して形成されている。つまり、かつらベース２０は、寸法に限定されず、使用者の頭部の人毛又は人工毛の濃さ薄さや装着箇所に適した寸法のかつらベース２０を用いることが可能である。
【００４６】
次に、図１４は、本実施の形態の第二変形例を示した図である。図１４において、かつらベース２０は、一端側外縁部２１と、一端側内縁部２２と、縁部糸部材２３と、他端側外縁部２４と、他端側内縁部２５と、内部糸部材２６は図１２の構成と同様であるが、側端部２８と、一端側外縁部２１と、他端側外縁部２５は連続させて外縁部として形成されている。つまり、かつらベース２０は、使用者が増毛したい箇所に適応させた構成とすることが可能である。尚、側端部２８が一端側外縁部２１と他端側内縁部２５に結合されて形成してもよい。
【００４７】
次に、本実施の形態に係わる、作用及び効果の説明を行う。第一の実施の形態と同様に内部糸部材２６の間から頭部の自毛を引き出してかつらベース２０に植毛された人毛又は人工毛と混毛させることで、かつらベース２０が目立たず、自毛と人毛又は人工毛とがなじみやすい。
【００４８】
更には、かつらベースが編み込み糸のみで形成されているため、軽くて、かつ、装着感が自然であることを可能にした。また、第一の実施の形態において備えられている外縁部を、本実施の形態では、一端側外縁部２１と、他端側外縁部２４とに分けて構成することで、側縁部ないので使用者が装着した際により目立たないことを可能にした。
【００４９】
また、本実施の形態によれば、第一の実施の形態と同様に編み込み糸の編み目に人毛又は人工毛を通し、編み込み糸の一本の糸に人毛又は人工毛を縫いこむような状態で植毛させることで、櫛で梳かした時にも植毛させた位置から人毛又は人工毛がずれないように植毛させることを可能にした。
【００５０】
（実施例３）
次に、第三の実施の形態について図を用いて説明を行う。図１５は、本実施の形態に係わるかつらベース３０の全体を示す平面図である。
【００５１】
図１５において、かつらベース３０は、略四角形状である第一外縁部３１と略菱形状である第二外縁部３２とを重ね合わせて形成されている。第一外縁部３１の上部側Ａと第一外縁部３１に内接する第二外縁部３２の上部傾斜面側Ｂには、一端側外縁部３３と一端側内縁部３４を有し、一端側外縁部３３と一端側内縁部３４の両間を一端側縁部糸部材３５が連続して三角形状に周回している。尚、ここでの形状は、三角形状に限定されず、三角以上の多角形状でも良い。
【００５２】
更に、第一外縁部３１の下部側Ｃと第一外縁部３１に内接する第二外縁部３２の下部傾斜面側Ｄには、他端側外縁部３６と他端側内縁部３７を有し、他端側外縁部３６と他端側内縁部３７の両間を他端側縁部糸部材３８が連続して三角形状に周回している。尚、ここ
での形状は、三角形状に限定されず、三角以上の多角形状でも良い。
【００５３】
また、かつらベース３０は、一端側内縁部３４と他端側内縁部３７との間に内部糸部材３９を交互に周回させて形成されている。
【００５４】
上記のような構成とすることで、かつらベース３０の縁部の補強効果を生じさせている。また、第一外縁部３１と第二外縁部３２が重なり合わない部分は、空間部４０である。
【００５５】
尚、ここで形成されている空間部４０は三角形状であるが、例えば、四角形状でも可能であり、三角形状に限定されない。つまり、多角形状であれば、形成可能である。また、本実施の形態において、各部材は、三本の糸を編み込んでなる編み込み糸で形成され、一本の糸の太さは０．０８ｍｍであり、三本で編み込むと０．１６ｍｍとなる。糸の色については半透明の黒系を用いている。
【００５６】
尚、糸の太さは上記数値に限定されず、一本の糸の太さは０．０５ｍｍから０．１０ｍｍの範囲で適用するとよく、その場合、三本の糸を編み込むと０．１０ｍｍから０．２０ｍｍとなる。また、糸の色については、上記の記載に限定されないが、好ましくは、人毛と同系色とすると良い。更に、外縁部においては、編み込み糸１７を用いて三つ編みにすると良い。この三つ編みの太さは、０．２５ｍｍから０．４０ｍｍで、好ましくは、０．３４ｍｍとすると良い。
【００５７】
次に、図１６は、本実施の形態の変形例を示した図である。図１６において、かつらベース３０は、図１５と同様に略四角形状を有する第一外縁部３１と、略菱形形状を有する第二外縁部３２とを重ね合わせて形成されている。
【００５８】
第一外縁部３１と第二外縁部３２が重ね合わせて形成されている面において、一端側、他端側、左右の側面に外縁部４１が形成され、その内部に内縁部４２が形成されている。
【００５９】
外縁部４１と内縁部４２の間に縁部糸部材４３を周回させて形成し、内縁部４２の内部は内部糸部材４４が格子４５に形成されている。また、第一外縁部３１と第二外縁部３２が重なり合わない部分は、空間部４０である。
【００６０】
次に、本発明の実施の形態に係わる、作用及び効果の説明を行う。内部糸部材３９及び空間部４０の間から頭部の自毛を引き出してかつらベース１の人毛又は人工毛と混毛させることで、かつらベースが目立たず、自毛と人毛又は人工毛とがなじみやすい。
【００６１】
更には、かつらベースが編み込み糸のみで形成されているため、軽くて、かつ、装着感が自然であることを可能にした。また、空間部４０を備えることで、より多くの自毛を引き出すことが可能であり、頭部により強固に装着させることが可能である。
【００６２】
また、本発明の実施の形態によれば、編み込み糸に植毛させることで、例えば、櫛で梳かした時にも植毛させた位置から人毛又は人工毛がずれないように植毛させることを可能にした。
【図面の簡単な説明】
【００６３】
【図１】第一の実施の形態を示したかつらベースの平面図
【図２】図１において、縁部糸部材を示した図
【図３】図１において、内部糸部材を示した図
【図４】図１におけるIV部の拡大図
【図５】編み込み糸の詳細図
【図６】図５における、編み込み糸に人毛又は人工毛を植毛させた状態を示した図
【図７】図６における編み込み糸に人毛又は人工毛を結び付けて植毛させた図
【図８】図１におけるかつらベースに人毛又は人工毛を植毛させたかつらを示す図
【図９】図１における、かつらベースの第一変形例を示した平面図
【図１０】図１における、かつらベースの第二変形例を示した平面図
【図１１】図１における、かつらベースの第三変形例を示した平面図
【図１２】第二の実施の形態を示したかつらベースの平面図
【図１３】図１０における、かつらベースの第一変形例を示した平面図
【図１４】図１０における、かつらベースの第二変形例を示した平面図
【図１５】第三の実施の形態を示したかつらベースの平面図
【図１６】図１５における、かつらベースの変形例を示した平面図
【符号の説明】
【００６４】
１０      かつらベース
１１      外縁部
１２      内縁部
１３      縁部糸部材
１４      内部糸部材
１５      支持糸
１６      接着部
１７      編み込み糸
１７ａ    一本の糸
１７ｂ    一本の糸
１７ｃ    一本の糸
１８      人毛又は人工毛
１９      編み目
２０      かつらベース
２１      一端側外縁部
２２      一端側内縁部
２３      縁部糸部材
２４      他端部外縁部
２５      他端部内縁部
２６      内部糸部材
２７      支持糸
２８      側端部
３０      かつらベース
３１      第一外縁部
３２      第二外縁部
３３      一端側外縁部
３４      一端側内縁部
３５      一端側縁部糸部材
３６      他端側外縁部
３７      他端側内縁部
３８      他端側縁部糸部材
３９      内部糸部材
４０      空間部
４１      外縁部
４２      内縁部
４３      縁部糸部材
４４      内部糸部材
４５      格子
４７      かつら
【図１】
2008095249.tif 000003
【図２】
2008095249.tif 000004
【図３】
2008095249.tif 000005
【図４】
2008095249.tif 000006
【図５】
2008095249.tif 000007
【図６】
2008095249.tif 000008
【図７】
2008095249.tif 000009
【図８】
2008095249.tif 000010
【図９】
2008095249.tif 000011
【図１０】
2008095249.tif 000012
【図１１】
2008095249.tif 000013
【図１２】
2008095249.tif 000014
【図１３】
2008095249.tif 000015
【図１４】
2008095249.tif 000016
【図１５】
2008095249.tif 000017
【図１６】
2008095249.tif 000018